(57)【要約】【課題】電磁駆動のアクチュエータを用い、平面積の小型化、高トルク化を達成したシャッター装置を提供する。【解決手段】鏡筒２５に設けられた鏡筒窓９から入射する入射光を、遮光するためのシャッター窓２１を一端に有し、他端を回転軸３で固定したシャッター羽根５と、シャッター羽根５と連動するように、シャッター羽根５に固定して設けられた電磁コイル７と、電磁コイル７に通電を行う為の駆動手段と、シャッター羽根５の可動範囲内で、電磁コイル７の一部を所定の間隙を持って挟持して、かつ電磁コイル７の一部に対して磁束の流れを与える様に配置された磁束発生手段１９とを備えることを特徴とする。【選択図】図１
2008076451.tif 000002
【特許請求の範囲】
【請求項１】
鏡筒に設けられた鏡筒窓から入射する入射光を、遮光するためのシャッター窓を一端に有し、他端を回転軸で固定したシャッター羽根と、
当該シャッター羽根と連動するように、前記シャッター羽根に固定して設けられた電磁コイルと、
当該電磁コイルに通電を行うための駆動手段と、
前記シャッター羽根の可動範囲内で、電磁コイルの一部を所定の間隙を持って挟持して、かつ前記電磁コイルの一部に対して磁束の流れを与える様に配置された磁束発生手段と、を備える
ことを特徴とするシャッター装置。
【請求項２】
前記磁束発生手段は、永久磁石とヨークとにより構成されており、
前記永久磁石と前記ヨークとによって、前記電磁コイルの一部に対して磁束の流れを与えるようにした
ことを特徴とする請求項１に記載のシャッター装置。
【請求項３】
前記シャッター羽根は、扇形形状となっており、
前記回転軸は、前記扇形形状における頂角近傍に設けられており、
前記シャッター窓は、前記扇形形状における円弧部近傍に設けられている
ことを特徴とする請求項１または２に記載のシャッター装置。
【請求項４】
前記鏡筒窓から入射する入射光から光学像を撮像するための撮像センサーを内挿する鏡筒と、
前記鏡筒窓の被写体側に設けられた、請求項１から３のいずれか一項に記載のシャッター装置と、を備える
ことを特徴とするカメラモジュール。
【請求項５】
前記電磁コイルにおけるコイル芯と、前記鏡筒窓から入射する入射光の光軸とが略平行となるように、前記電磁コイルと前記磁束発生手段とを配置する
ことを特徴とする請求項４に記載のカメラモジュール。
【請求項６】
前記電磁コイルにおけるコイル芯と、前記鏡筒窓から入射する入射光の光軸とが略直交となるように、前記電磁コイルと前記磁束発生手段とを配置する
ことを特徴とする請求項４に記載のカメラモジュール。
【発明の詳細な説明】
【技術分野】
【０００１】
本発明は、デジタルカメラやカメラ付き携帯電話に用いられるカメラモジュールのシャッター羽根や絞り羽根などの羽根部材をアクチュエータ装置で駆動するようにしたカメラ用のシャッター装置及びカメラモジュールに関するものである。
【背景技術】
【０００２】
その技術分野においては、カメラ用のシャッター装置を含めたカメラモジュールの平面積の低減と光軸方向の薄型化等の小型化要求は高いものになってきている。そのような中、光軸方向薄型化を図るためにシャッター部を開閉する開閉駆動部を、シャッター部より撮像素子側のレンズ鏡筒の径方向外側に配置したことを特徴とするカメラモジュールが開示されている（例えば、特許文献１参照）。
【０００３】
この特許文献１に記載のカメラモジュールについて説明する。図１０は、従来の小型シャッターを用いたカメラモジュールの平面図である。本図はシャッター羽根によって開口部が閉じられ、撮像センサーに入射する光が遮光された状態を示している。従来のシャッター装置を用いたカメラモジュールは、鏡筒１０１、開口部１１５、シャッター羽根１０３、回転軸１０５、永久磁石１０７、励磁コイル１０９、出力軸１１１が設けられ、出力軸１１１は永久磁石１０７と一体であり、出力軸１１１はシャッター羽根１０３の長穴１１３に摺動可能に接続されている。そして、シャッター羽根１０３を開閉する開閉駆動部１１７は鏡筒１０１の径方向外側に配置されている。なお、従来のカメラモジュールの平面図においては、開閉駆動部１１７の磁気回路を構成するための磁性材ヨークは図示していない。
【０００４】
シャッター羽根１０３の動作としては、表裏２極に着磁された永久磁石１０７の磁束と、励磁コイル１０９を励磁することにより生じる磁束とにより、矢印方向の推力が生じ、この推力によって永久磁石１０７が移動し、永久磁石１０７と一体である出力軸１１１の位置が移動し、シャッター羽根１０３の回転軸１０５と出力軸１１１との距離が変化することからシャッター羽根１０３の長穴１１３内での出力軸１１１の位置が変化し、シャッター羽根１０３を開口部１１５に対して開閉させることができる。
【０００５】
【特許文献１】特開２００５−１２８４５２号公報（第２−４頁、第５図）
【発明の開示】
【発明が解決しようとする課題】
【０００６】
しかしながら、この特許文献１に記載の従来の小型シャッターを用いたカメラモジュールは、下記に記載の問題点を有する。
【０００７】
携帯電話に組み込まれる小型カメラモジュールは、光軸方向の高さを低くすることや、光軸方向に垂直な面である平面積を小さくするなど、モジュールを小型化することが要求されている。図１０に示すように、開閉駆動部１１７を構成する励磁コイル１０９、永久磁石１０７は、鏡筒１０１周辺に配置されており、カメラモジュールの平面積が大きくなってしまい、平面積の小型化が達成できない。
【０００８】
また、開閉駆動部１１７の駆動力を伝達する出力軸１１１は、シャッター羽根１０３に設けられた長穴１１３に摺動可能に接続しており、出力軸１１１に加わる駆動力によって、長穴１１３周辺に力を伝達し、シャッター羽根１０３を駆動させて、シャッター羽根１０３を開口部１１５に対して開閉させることができるが、シャッター羽根１０３の回転方
向に対して、出力軸１１１の移動方向が異なるために、開閉駆動部１１７の駆動力よりもシャッター羽根回転に寄与する力は小さいものとなってしまう。
【０００９】
さらに、回転軸１０５と出力軸１１１との距離が短いため、シャッター羽根回転トルクが小さくなる。従って、一定スピードで駆動させるためには開閉駆動部１１７により生じる力を大きくする必要があるが、この場合は開閉駆動部１１７のサイズが大きくなり、開閉駆動部１１７の小型化が難しく、平面積の小型化が難しい。
【００１０】
そこで本発明は上記課題を解決し、電磁駆動の開閉駆動部を用い、平面積の小型化、高トルク化を達成したシャッター装置及びカメラモジュールを提供することを目的とする。
【課題を解決するための手段】
【００１１】
本発明は、上記目的を達成するために、基本的には、下記に記載されたような技術構成を採用するものである。
【００１２】
本発明のシャッター装置は、鏡筒に設けられた鏡筒窓から入射する入射光を、遮光するためのシャッター窓を一端に有し、他端を回転軸で固定したシャッター羽根と、シャッター羽根と連動するように、シャッター羽根に固定して設けられた電磁コイルと、電磁コイルに通電を行う為の駆動手段と、シャッター羽根の可動範囲内で、電磁コイルの一部を所定の間隙を持って挟持して、かつ電磁コイルの一部に対して磁束の流れを与える様に配置された磁束発生手段とを備えることを特徴とするものである。
【００１３】
また、本発明のシャッター装置における、前述した磁束発生手段は、永久磁石とヨークにより構成されており、永久磁石とヨークとによって、電磁コイルの一部に対して磁束の流れを与えるようにしたことを特徴とするものである。
【００１４】
また、シャッター羽根は、扇形形状となっており、回転軸は扇形形状における頂角近傍に設けられており、シャッター窓は扇形形状における円弧部近傍に設けられていることを特徴とするものである。
【００１５】
また、鏡筒窓から入射する入射光から光学像を撮像するための撮像センサーを内挿する鏡筒と、鏡筒窓の被写体側に設けられた、シャッター装置とを備えることを特徴とする。
【００１６】
また、電磁コイルにおけるコイル芯と、鏡筒窓から入射する入射光の光軸とが平行となるように電磁コイルと磁束発生手段とを配置することを特徴とする。
【００１７】
また、電磁コイルにおけるコイル芯と、鏡筒窓から入射する入射光の光軸とが直交となるように、電磁コイルと磁束発生手段とを配置することを特徴とするものである。
【発明の効果】
【００１８】
本発明によれば、一端にシャッター窓を有し、他端を回転軸で固定したシャッター羽根と、シャッター羽根と連動するように、シャッター羽根に固定して設けられた電磁コイルと、電磁コイルに通電を行う為の駆動手段と、シャッター羽根の可動範囲内で、電磁コイルの一部を所定の間隙を持って挟持して、かつ電磁コイルの一部に対して磁束の流れを与える様に配置された磁束発生手段とを備えるため、シャッター装置及びカメラモジュールの平面積サイズを小さくすることができ、大きな駆動トルクを得ることができるという効果がある。
【００１９】
また、磁束発生手段は、永久磁石とヨークにより構成されており、永久磁石とヨークとによって、電磁コイルの一部に対して磁束の流れを与えるようにしたため、磁気回路は閉
磁路を形成でき、永久磁石の磁束を効率良く間隙部に集中させることができるため、電磁コイルとの間に生じる推力を大きく得ることができ、磁束発生手段を小型化でき、シャッター装置及びカメラモジュールの平面積を小さくすることができる。
【００２０】
また、シャッター羽根は、扇形形状となっており、回転軸は扇形形状における頂角近傍に設けられており、シャッター窓は扇形形状における円弧部近傍に設けられているため、シャッター羽根動作範囲を小さくすることができ、シャッター装置及びカメラモジュールの平面積を小さくすることができる。
【発明を実施するための最良の形態】
【００２１】
以下、本発明のシャッター装置を用いたカメラモジュールの構成について説明する。図１から図８は、実施例１におけるカメラモジュールを示し、図９は実施例２におけるカメラモジュールを示す。各実施例において同一の構成要素については、同一番号を付与し、説明は省略する。以下、図に基づいて具体的な実施例について説明する。  
【実施例１】
【００２２】
図１は、実施例１のシャッター装置を用いたカメラモジュールの構成を示す図であり、図１（ａ）は斜視図、図１（ｂ）は図１（ａ）における断面ａａ’における断面図を示している。本実施例のシャッター装置を用いたカメラモジュールは、図１（ａ）、図１（ｂ）に示すように、複数のレンズ２９を保持した鏡筒２５を備え、鏡筒２５には鏡筒窓９が設けられ、この鏡筒２５は基台３１上に保持されている。また、鏡筒２５の下面側には、鏡筒窓９から入射する入射光から光学像を撮像するためのＣＣＤやＣＭＯＳ等の撮像センサー１３を内挿し、赤外線除去フィルター３３や、ＩＣ部品やコンデンサなどの部品が実装されている基板（図示せず）が配置されている。
【００２３】
また、鏡筒窓９に対して光軸１方向の被写体側にシャッター装置２３が設けられている。シャッター装置２３は、一端にシャッター窓２１を、他端に回転軸３を有し、回転軸３は鏡筒２５の径方向外側に置かれ、回転軸３によって回転自在に固定したシャッター羽根５と、シャッター羽根５と連動するようにシャッター羽根５に固定して設けられた電磁コイル７と、シャッター羽根５の可動範囲内で電磁コイル７の一部を所定の間隙を持ってシャッター羽根５を挟持して、かつ電磁コイル７の一部に対して磁束の流れを与える様に配置された磁束発生手段１９を備える。そして、電磁コイル７におけるコイル芯１５と、鏡筒窓９から入射する入射光の光軸１とが略平行となるように電磁コイル７と磁束発生手段１９とを配置している。
【００２４】
ここで、シャッター羽根５と電磁コイル７について説明する。図２はシャッター羽根５と電磁コイル７を示す分解斜視図である。
【００２５】
シャッター羽根５は扇形形状となっており、扇形形状における円弧部近傍である一端にシャッター窓２１を有し、扇形形状における頂角近傍である他端を回転軸３で回転自在に固定したものであり、シャッター窓２１の周辺には被写体側に突出する電磁コイルの巻枠６が形成されている。巻枠６の平面形状は略四辺形形状をしており、上面はシャッター羽根５と略平行平面になっている。この巻枠６の外周に溝に沿って電磁コイル７が巻回されている。また、電磁コイル７は、略四辺形形状をしており、回転軸３に対しての径方向に略平行な部分を左辺部５１、右辺部５３、周方向に略平行な部分を上辺部５５、下辺部５７となる。さらに、電磁コイル７の視認側には電磁コイルのカバー８が配置され、電磁コイル７がシャッター羽根５とカバー８とで狭持されている。なお、カバー８には、シャッター羽根５に設けるシャッター窓２１に対応する位置に同じ大きさのシャッター窓２１が形成されている。
【００２６】
そして、電磁コイル７の両端は、シャッター羽根５の回転軸３の近傍より引き出されて外部の電気的接続部に接続され、電気的接続部は電磁コイル７に通電するための駆動手段２７に接続されており、電圧パルスを印加することが可能となっている。このように、シャッター羽根５は電磁コイル７の巻枠６を兼ねた構造である。なお、シャッター羽根５の形状は扇形形状に限定されるものではなく、カメラモジュールの平面積を小さくできる形状であれば良い。
【００２７】
次に磁束発生手段１９の構成について説明する。図３は磁束発生手段１９の斜視図である。磁束発生手段１９は、第１の磁気回路３５、第２の磁気回路３７から構成され、第１の磁気回路３５は、第１の下ヨーク３９、第１の永久磁石４１、第１の上ヨーク４３から構成され、第２の磁気回路３７は、第２の下ヨーク４５、第２の永久磁石４７、第２の上ヨーク４９から構成されている。
【００２８】
そして、第１の永久磁石４１、第２の永久磁石４７は厚み方向に２極局に着磁されており、本実施例においては、第１の永久磁石４１のＳ極面と第１の下ヨーク３９とが接着等で固定されている。また、第２の永久磁石４７はＮ極面と、第２の下ヨーク４５とが接着等で固定されている。
【００２９】
第１の下ヨーク３９と第１の上ヨーク４３とは、磁気的に結合してコの字型をしており、第１の上ヨーク４３と第１の永久磁石４１のＮ極面とは一定間隔の空気層である間隙部を有している。第２の下ヨーク４５と第２の上ヨーク４９とは、磁気的に結合してコの字型をしており、第２の上ヨーク４９と第２の永久磁石４７のＳ極面とは一定間隔の空気層である間隙部を有している。このように構成された第１の磁気回路３５と第２の磁気回路３７とは、鏡筒２５の被写体側の所定の位置に配置され、そのコの字状の開口部が互いに対向するように配置されている。なお、第１、第２の磁気回路３５、３７からなる磁束発生手段１９は他に固定部材を設けて鏡筒２５の被写体側の所定の位置に位置するように配置、固定しても良い。
【００３０】
次に、磁束発生手段１９における磁束の流れについて説明する。図４（ａ）は第１の磁気回路３５の側面図である。図４（ｂ）は第２の磁気回路３７の側面図である。図４（ａ）に示すように第１の永久磁石４１のＮ極面から出た磁束は、第１の永久磁石４１のＮ極面と第１の上ヨーク４３とにより形成される空気層の間隙部を通り、第１の上ヨーク４３に流れ込み、第１の上ヨーク４３から第１の下ヨーク３９へと流れ、第１の永久磁石４１のＳ極面へ流れることで、第１の磁気回路３５を構成している。
【００３１】
また、図４（ｂ）に示すように第２の永久磁石４７のＮ極面から出た磁束は第２の下ヨーク４５に流れ込み、第２の下ヨーク４５から第２の上ヨーク４９へと流れ、第２の上ヨーク４９の磁石対向面から第２の永久磁石４７のＳ極へと、空気層の間隙部を通り流れることで第２の磁気回路３７を構成している。
【００３２】
次に、磁束発生手段１９の間隙部に挿入される電磁コイル７及びシャッター羽根５が第１の状態にある場合を説明する。図５は第１の状態を示す図であり、図５（ａ）は磁束発生手段の上ヨーク、下ヨークを図示しない平面図で、図５（ｂ）は図５（ａ）における断面ｃｃ’における断面図を示してある。
【００３３】
第１の状態とは、シャッター羽根５に設けられたシャッター窓２１と、鏡筒窓９とが光軸１に対して一致している状態であり、この時鏡筒窓９から入射する入射光はシャッター窓２１を通り、鏡筒窓９を通過し、レンズ２９へとはいり、光学像を撮像することができる。このとき、電磁コイル７の左辺部５１は第１の磁気回路３５の間隙部奥に位置し、電磁コイル７の右辺部５３は第２の磁気回路３７の間隙部入り口に位置する。
【００３４】
第１の状態においてカメラのシャッターボタンが押されると、撮像センサー１３に蓄積されていた電荷が放出されるための信号が制御回路から出され、その後、撮影のための新たな電荷が撮像センサー１３に蓄積され始める。そして、被写体の輝度に対応した一定時間が経過すると、再び制御回路からの信号によって、シャッター羽根５が第２の状態に移動する。
【００３５】
次に、磁束発生手段１９の間隙部に挿入される電磁コイル７及びシャッター羽根５が第２の状態にある場合を説明する。図６は第２の状態を示す図であり、図６（ａ）は磁束発生手段の上ヨーク、下ヨークを図示しない平面図で、図６（ｂ）は図６（ａ）における断面ｄｄ’における断面図を示してある。
【００３６】
第２の状態とは、シャッター羽根５に設けられたシャッター窓２１と、鏡筒窓９とが光軸１に対して一致しない状態であり、鏡筒窓９はシャッター羽根５によって遮光されているため、入射光は撮像センサー１３に届かない。このとき、電磁コイル７の左辺部５１は第１の磁気回路３５の間隙部入り口に位置し、電磁コイル７の右辺部５３は第２の磁気回路３７の間隙部奥に位置することになる。
【００３７】
第２の状態においては、シャッター羽根５が停止後、撮像センサー１３で光電変換された撮像情報が画像処理回路を介して記憶装置に転送される。
【００３８】
次に、電磁コイル７に通電した際のシャッター羽根５の動作について説明する。図７はシャッター羽根が第１の状態にある場合において、シャッター羽根５を第１の状態から第２の状態に移動させるために電磁コイル７に通電した際に作用する力の方向を示した図である。図７（ａ）はシャッター羽根５、電磁コイル７、永久磁石の位置関係を示す平面図であり、ここでは上ヨーク、下ヨークは図示していない。また、図７（ｂ）は図７（ａ）における断面ｅｅ’における断面図であり、こちらは上ヨーク、下ヨークの断面も表示してある。
【００３９】
シャッター羽根５の位置が第１の状態において、電磁コイル７の右辺部５３を流入端とし左辺部５１が流出端となるように時計回転方向に電流Iを流して電磁コイル７を励磁した状態を第１の励磁とする。
【００４０】
このとき、第１の磁気回路３５によって、電磁コイル７左辺部５１の位置する間隙部には、第１の永久磁石４１から上ヨーク４３の方向に磁束φ１が生じており、磁束φ１と電磁コイル７による電流Ｉとによって推力ｆ１１が第１の磁気回路３５から第２の磁気回路３７に向かう方向に生じ、また、第２の磁気回路３７によって、電磁コイル７の右辺部５３の位置する間隙部には第２の上ヨーク４９から第２の永久磁石４７の方向に磁束φ２が生じ、磁束φ２と電流Ｉとによって推力ｆ１２が第１の磁気回路３５から第２の磁気回路３７に向かう方向に生じる。
【００４１】
そして、シャッター羽根５に作用する推力Ｆ１はＦ１＝ｆ１１＋ｆ１２とすることができ、シャッター羽根５を駆動させるための回転トルクＴ１は、回転軸３から推力の作用する推力作用位置までの距離をｒとしたとき、回転トルクＴ１＝Ｆ１×ｒとなる。
【００４２】
このように、シャッター羽根の回転軸３の中心と、推力作用位置との距離ｒを長くとることができるために、回転トルクＴ１を大きくすることができる。
【００４３】
また、推力Ｆ１は間隙部の磁束密度をＢ、電磁コイル７に流れる電流をＩ、電磁コイル７の左辺部５１、右辺部５３の長さをＬとしたとき、Ｆ１＝Ｂ×Ｉ×Ｌとして記述できる
。そして、電磁コイル７の上辺部５５と回転軸３の位置関係は変えることなく、電磁コイル７の下辺部５７を回転軸３近傍に配置することが可能であるため、電磁コイル７の右辺部５３、左辺部５１の長さＬを長くとることができる。従って、カメラモジュールの平面積を大きくしなくても長さＬを長く取ることができ、高トルクを達成することができる。
【００４４】
そして、シャッター羽根５が第１の状態から第２の状態に移動し、第２の状態にあるとき、第１の励磁を継続することでシャッター羽根５は第２の状態に安定的に保持され、撮像センサーに入射光の入らない遮光状態を維持することができる
【００４５】
図８は、シャッター羽根が第２の状態にある場合において、シャッター羽根を第２の状態から第１の状態に移動させるために電磁コイル７に通電した際に作用する力の方向を示した図である。図８（ａ）はシャッター羽根５、電磁コイル７、永久磁石の位置関係を示す平面図であり、ここでは上ヨーク、下ヨークは図示していない。また、図８（ｂ）は図８（ａ）における断面ｆｆ’における断面図であり、こちらは上ヨーク、下ヨークの断面も表示してある。
【００４６】
シャッター羽根５の位置が第２の状態において、電磁コイル７の左辺部５１を流入端とし右辺部５３が流出端となるように反時計回転方向に電流Iを流して電磁コイル７を励磁した状態を第２の励磁とする。
【００４７】
このとき、第１の磁気回路３５によって、電磁コイル７左辺部５１の位置する間隙部には、第１の永久磁石４１から上ヨーク４３の方向に磁束φ１が生じており、磁束φ１と電磁コイル７による電流Ｉとによって推力ｆ２１が生じ、また、第２の磁気回路３７によって、電磁コイル右辺５３の位置する間隙部には第２の上ヨーク４９から第２の永久磁石４７の方向に磁束φ２が生じており、磁束φ２と電流Ｉとによって推力ｆ２２が生じる。
【００４８】
そして、推力ｆ２１とｆ２２は回転軸に対して時計回り方向であり、シャッター羽根５に作用する推力Ｆ２はＦ２＝ｆ２１＋ｆ２２とすることができ、シャッター羽根５を駆動させるための回転トルクＴ２は、回転軸３から推力の作用する推力作用位置までの距離をｒとしたとき、回転トルクＴ２＝Ｆ２×ｒとなる。
【００４９】
従って、シャッター羽根５の回転軸３の中心と、推力作用位置との距離ｒを長くとることができるために、回転トルクＴ２を大きくすることができ、高トルクを達成できる。
【００５０】
また、推力Ｆ２は間隙部の磁束密度をＢ、電磁コイルに流れる電流をＩ、電磁コイルの左辺部５１、右辺部５３の長さをＬとしたとき、Ｆ２＝Ｂ×Ｉ×Ｌとして記述できる。そして、電磁コイル７の上辺部５５と回転軸３の位置関係は変えることなく、電磁コイル７の下辺部５７を回転軸３近傍に配置することが可能であるため、電磁コイル７の右辺部５３、左辺部５１の長さＬを長くとることができる。従って、カメラモジュールの平面積を大きくしなくても長さＬを長く取ることができ、高トルクを達成することができる。
【００５１】
そして、シャッター羽根５が第２の状態から第１の状態に移動し、第１の状態にあるとき、第２の励磁を継続することでシャッター羽根は第１の状態に安定的に保持され、シャッター窓２１と鏡筒窓９とが一致し、鏡筒窓９が開口された状態を維持することができる。
【００５２】
この様に、一端にシャッター窓２１を有し、他端を回転軸３で固定したシャッター羽根５と、シャッター羽根５と連動するようにシャッター羽根５に固定して設けられた電磁コイル７と、シャッター羽根５の可動範囲内で、電磁コイル７の一部を所定の間隔を持って挟持して、電磁コイル７の一部に対して磁束の流れを与える様に配置された磁束発生手段
１９とを備える構成であるため、従来の構成に比べて、カメラモジュールの平面積サイズを格段に小さくすることができる。
【００５３】
また、シャッター羽根５は扇形形状をしていることから、第１の状態においては、電磁コイル７の左辺５１がカメラモジュールの一辺に略平行になることができ、第２の状態においては電磁コイル７の右辺５３がカメラモジュールの他の一辺に略平行にすることができるため、シャッター動作範囲を効率良くカメラモジュール内に納めることが可能であり、カメラモジュールの平面積を小さくすることができる。
【００５４】
また、本発明のシャッター装置は、磁束発生手段１９による生じるシャッター羽根５の推力が回転軸３の中心とする周方向であるため、シャッター羽根５を回転移動させるための回転トルクとして有効に作用させることができる。更に、磁束発生手段１９により生じる推力の作用点と回転中心との距離を長くとることができ、大きなトルクとして作用させることができる。また、コイル有効長を長くすることも可能な構成であるため、カメラモジュールの平面積を大きくすることなく、推力を大きくすることができ、高トルクを得ることができる。
【実施例２】
【００５５】
以下、本発明の実施例２シャッター装置の構成について説明する。図９は、実施例２のシャッター装置の構成を示す斜視図である。
【００５６】
実施例２のシャッター装置は、図９に示すように基本的な構成は実施例１と同様で、電磁コイル７におけるコイル芯１５と、光軸１とが略垂直となるように電磁コイル７と磁束発生手段１９とを配置した例である。本実施例のシャッター羽根５は、一端にシャッター窓２１を有し、他端を回転軸３で回転自在に固定したものであり、シャッター窓２１を挟んで回転軸３と対向する端部に沿って電磁コイル７を配置したものである。この電磁コイル７はコイル芯１５と、光軸１とが略垂直となるように形成されている。なお、電磁コイルの巻枠、カバーについては、図を分かり易くするために省略してあるが実施例１に類似した構成であり、巻枠の平面形状は略四辺形形状をしており、その平面はシャッター羽根５と略垂直となるように配置されている。また、第１の磁気回路３５と第２の磁気回路３７とは、鏡筒２５の被写体側の所定の位置に配置され、そのコの字状の開口部が被写体側を向くように配置される。この第１の磁気回路３５と第２の磁気回路３７とで電磁コイル７が挟持され、かつ回転軸３を中心に回転移動ができるようにシャッター羽根５が配置されている。
【００５７】
この様に、本実施例のシャッター装置は、一端にシャッター窓２１を有し、他端を回転軸３で固定したシャッター羽根５と、シャッター羽根５と連動するようにシャッター羽根５に固定して設けられた電磁コイル７と、シャッター羽根５の可動範囲内で、電磁コイル７の一部を所定の間隔を持って挟持して、電磁コイル７の一部に対して磁束の流れを与える様に配置された磁束発生手段１９とを備える構成であり、電磁コイル７におけるコイル芯１５と、光軸１とが略垂直となるように電磁コイル７と磁束発生手段１９とを配置しているため、従来の構成に比べて、カメラモジュールの平面積サイズを小さくすることができる。
【図面の簡単な説明】
【００５８】
【図１】本発明のシャッター装置を用いたカメラモジュールの斜視図及び断面図である。
【図２】本発明のシャッター羽根の分解斜視図である。
【図３】本発明の磁束発生手段の分解図である。
【図４】本発明の磁束発生手段における磁束の流れ図である。
【図５】本発明のシャッター装置における第１の状態である。
【図６】本発明のシャッター装置における第２の状態である。
【図７】本発明のシャッター装置における第１の励磁である。
【図８】本発明のシャッター装置における第２の励磁である。
【図９】本発明の第２の実施形態である。
【図１０】従来のシャッター装置の平面図である
【符号の説明】
【００５９】
１  光軸
３  回転軸
５  シャッター羽根
６  巻枠
７  電磁コイル
８  カバー
９  鏡筒窓  
１１  永久磁石
１３  撮像センサー
１５  コイル芯
１７  ヨーク
１９  磁束発生手段
２１  シャッター窓
２３  シャッター装置
２５  鏡筒
２７  駆動手段
２９  レンズ
３１  基台
３３  赤外線除去フィルター
３５  第１の磁気回路
３７  第２の磁気回路
３９  第１の下ヨーク
４１  第１の上ヨーク
４３  第２の下ヨーク
４５  第２の上ヨーク
【図１】
2008076451.tif 000003
【図２】
2008076451.tif 000004
【図３】
2008076451.tif 000005
【図４】
2008076451.tif 000006
【図５】
2008076451.tif 000007
【図６】
2008076451.tif 000008
【図７】
2008076451.tif 000009
【図８】
2008076451.tif 000010
【図９】
2008076451.tif 000011
【図１０】
2008076451.tif 000012